(57)【要約】【課題】支持構造体に回動部位を支持した回動部位付き什器において、回動機構の開口を遮蔽する遮蔽部材のスムーズな作動を確保し、遮蔽部材の破損を抑えるとともに遮蔽の確実性を高め、かつデザイン自由度を高める。【解決手段】支持構造体２０と天板構造体１０との間の回動機構１５には、天板構造体１０の枢軸２回りの回動に伴い縮小拡大する開口Ｋ１が形成されるとともに、開口Ｋ１を遮蔽する遮蔽部材４０を備え、遮蔽部材４０は、天板構造体１０が回動する間、収容部５０に対する挿入代を確保するとともに、天板構造体１０の回動に伴い弾性変形し、収容部５０に対する遮蔽部材４０の挿脱を可能とする変形許容部（弾性板部材４２）を備えている。【選択図】図８
2019154569.tif 000002
【特許請求の範囲】
【請求項１】
広幅の表面を形成する回動部位と、前記回動部位を支持する支持構造体と、を備え、
前記支持構造体と前記回動部位との間には、前記回動部位を、前記表面に沿う方向を向く枢軸回りに回動可能とする回動機構が構成され、
前記回動機構には、前記回動部位の前記枢軸回りの回動に伴い縮小拡大する開口が形成されるとともに、
前記開口を遮蔽する遮蔽部材を備え、
前記遮蔽部材は、前記枢軸の軸方向と交差する長手方向に延び、前記遮蔽部材の長手方向の一端側は、前記支持構造体および前記回動部位の一方に連結され、前記支持構造体および前記回動部位の他方には、前記遮蔽部材の長手方向の他端側を挿脱可能に支持する収容部が設けられ、
前記回動部位は、前記表面が第一の方向を向く第一状態と、前記表面が前記第一の方向と交差する第二の方向を向く第二状態と、の間で回動可能とされ、
前記遮蔽部材は、前記回動部位が前記第一状態と前記第二状態との間で回動する間、前記収容部に対する挿入代を確保し、
前記遮蔽部材および前記収容部の少なくとも一方は、前記回動部位の回動に伴い弾性変形し、前記収容部に対する前記遮蔽部材の挿脱を可能とする変形許容部を備えている、回動部位付き什器。
【請求項２】
前記回動部位は、天板を有する天板構造体であり、
前記天板構造体は、前記表面が上方を向く前記第一状態と、前記表面が前記第一状態に対して起立する前記第二状態と、の間で回動可能とされている請求項１に記載の回動部位付き什器。
【請求項３】
前記変形許容部は、前記遮蔽部材における長手方向の一端側から他端側に渡る範囲に設けられている請求項１又は２に記載の回動部位付き什器。
【請求項４】
前記収容部は、前記回動部位に支持され、前記回動部位が前記第一状態にある場合において、第一広幅面を前記第一の方向に向けるカバー部材を備え、
前記遮蔽部材は、前記支持構造体に支持され、前記回動部位が前記第一状態にある場合において、第二広幅面を前記第一の方向に向けるとともに、前記第二広幅面の少なくとも一部を前記カバー部材の前記第一広幅面に重ねるように配置する、前記変形許容部としての弾性板部材を備えている請求項１から３の何れか一項に記載の回動部位付き什器。
【請求項５】
前記カバー部材は、前記弾性板部材における前記収容部に収容される側の先端部に対向する奥壁を備え、
前記弾性板部材は、前記回動部位が前記第一状態にある場合において、前記収容部への挿入長さが最大となり、かつ前記奥壁に前記先端部を突き当てて弾性変形する請求項４に記載の回動部位付き什器。
【請求項６】
前記遮蔽部材を前記長手方向と交差する幅方向から遮蔽する遮蔽壁を備えている請求項１から５の何れか一項に記載の回動部位付き什器。
【発明の詳細な説明】
【技術分野】
【０００１】
本発明は、回動部位付き什器に関する。
【背景技術】
【０００２】
天板や座等の主要機能部位が、当該部位を支持する支持構造体に対して回動するように支持された回動部位付き什器において、下記特許文献１，２に開示されるテーブルが公知である。
これらのテーブルでは、主要機能部位としての天板が、支持構造体としての脚体に対して、広幅面が水平に配置された使用位置から、同面が起立した不使用位置まで回動するように構成されている。このような構成を採用することにより、複数のテーブルを奥行方向に複数並置させ、整理することが可能になっている。
このような構成を採用するにあたり、天板を脚体に対して回動可能に連結する回動機構では、天板の角度が漸次変化することから、回動機構に天板の回動に合わせて縮小拡大する開口が生じることがある。
【０００３】
そこで、特許文献１に開示される構成では、天板受３２とは別体である遮蔽部材としての前カバー６を、不使用位置における上部において天板受３２に支持している。前カバー６は、下端部を遊端部とし、脚体を構成する支柱２３の上端部に形成された挿入孔７５から、支柱２３の内部空間に挿通されている。これによって、天板の回動で縮小拡大する開口を常時遮蔽することができる。
また、特許文献２に開示される構成では、天板受３２とは別体のカバー３４が天板受３２に支持されている点は同じだが、カバー３４の下端部に、さらに別体の可動部３４１が枢支され、この可動部３４１が、天板が使用位置にある状態における余長部として機能する。これによって、天板が使用位置から不使用位置に切り替わるにつれて漸次拡大する開口を効率的に遮蔽することができる。
【先行技術文献】
【特許文献】
【０００４】
【特許文献１】特開２００１−１６１４４６号公報
【特許文献２】特開２０１４−０７９５３４号公報
【発明の概要】
【発明が解決しようとする課題】
【０００５】
ところで、縮小拡大する開口を常時遮蔽するためには、遮蔽部材を挿脱可能に収容する収容部を設けることが望ましい。
しかし、特許文献１，２に開示される構成では、相対位置が漸次切り替わる天板と脚体との間に、硬質の遮蔽部材が介在することになる。したがって、天板の操作が乱雑になったり天板および脚体の間に寸法誤差が生じている場合に、遮蔽部材のスムーズな作動が阻害されるおそれがある。また、遮蔽部材の破損にもつながりやすい。さらに、遮蔽部材および収容部の形状や大きさといったデザインの制約を受けることがある。また、外部に露呈する可動部３４１の先端部を手で操作されれば、開口が露呈された状態に容易に戻ってしまう。
本願発明は、上記の技術的課題に鑑みてなされたもので、支持構造体に回動部位を支持した回動部位付き什器において、回動機構の開口を遮蔽する遮蔽部材のスムーズな作動を確保し、遮蔽部材の破損を抑えるとともに遮蔽の確実性を高め、かつデザイン自由度を高めることを目的とする。
【課題を解決するための手段】
【０００６】
上記課題の解決手段として、本発明は、広幅の表面を形成する回動部位と、前記回動部位を支持する支持構造体と、を備え、前記支持構造体と前記回動部位との間には、前記回動部位を、前記表面に沿う方向を向く枢軸回りに回動可能とする回動機構が構成され、前記回動機構には、前記回動部位の前記枢軸回りの回動に伴い縮小拡大する開口が形成されるとともに、前記開口を遮蔽する遮蔽部材を備え、前記遮蔽部材は、前記枢軸の軸方向と交差する長手方向に延び、前記遮蔽部材の長手方向の一端側は、前記支持構造体および前記回動部位の一方に連結され、前記支持構造体および前記回動部位の他方には、前記遮蔽部材の長手方向の他端側を挿脱可能に支持する収容部が設けられ、前記回動部位は、前記表面が第一の方向を向く第一状態と、前記表面が前記第一の方向と交差する第二の方向を向く第二状態と、の間で回動可能とされ、前記遮蔽部材は、前記回動部位が前記第一状態と前記第二状態との間で回動する間、前記収容部に対する挿入代を確保し、前記遮蔽部材および前記収容部の少なくとも一方は、前記回動部位の回動に伴い弾性変形し、前記収容部に対する前記遮蔽部材の挿脱を可能とする変形許容部を備えている、回動部位付き什器を提供する。
【０００７】
この構成によれば、回動部位の枢軸回りの回動に伴い回動機構の開口が縮小拡大しても、この開口が遮蔽部材で遮蔽されるので、開口に物品や身体を挟み込むことが防止される。遮蔽部材は、回動部位が第一状態と第二状態との間で回動する間、常に収容部に対する挿入代（オーバーラップ代）を確保するので、回動機構の開口が常に遮蔽部材で遮蔽されるとともに、遮蔽部材が収容部から脱落したり収容部から露出した端部から取り外されたりすることが防止される。
そして、遮蔽部材および収容部の少なくとも一方は、回動部位の回動に伴い弾性変形し、収容部に対する遮蔽部材の挿脱を可能とするので、回動部位の操作が乱雑になったり、部材間の寸法精度に誤差が生じている場合にも、遮蔽部材のスムーズな作動が阻害され難い。また、収容部および遮蔽部材部材がいずれも硬質な場合に比べて、遮蔽部材の破損が抑えられる。また、収納部の向きや大きさによっては遮蔽部材および収容部の弾性変形が不要になるが、遮蔽部材および収容部の形状や大きさといったデザインが制限されやすい。一方、遮蔽部材および収容部の少なくとも一方が弾性変形して遮蔽部材の挿脱を可能とすることで、遮蔽部材および収容部のデザインが制限され難くなる。
このように、本発明によれば、支持構造体および回動部位の間の開口を遮蔽する遮蔽部材のスムーズな作動を確保し、遮蔽部材の破損を抑えるとともに遮蔽の確実性を高め、かつデザイン自由度の高い回動部位付き什器を提供することができる。
【０００８】
本発明において、前記回動部位は、天板を有する天板構造体であり、前記天板構造体は、前記表面が上方を向く前記第一状態と、前記表面が前記第一状態に対して起立する前記第二状態と、の間で回動可能とされている構成でもよい。
この場合、支持構造体および天板構造体の間の開口を遮蔽する遮蔽部材のスムーズな作動を確保し、遮蔽部材の破損を抑え、かつデザイン自由度の高い天板付什器を提供することができる。
【０００９】
本発明において、前記変形許容部は、前記遮蔽部材における長手方向の一端側から他端側に渡る範囲に設けられている構成でもよい。
この場合、遮蔽部材が一端側から他端側に渡る広範囲で弾性変形するので、遮蔽部材が局部的に弾性変形する構成に比べて、遮蔽部材の全体的な弾性変形によって、遮蔽部材のよりスムーズな作動が確保されるとともに、遮蔽部材の局所的な負荷を抑えて耐久性を向上させることができる。遮蔽部材における長手方向の一端側から他端側に渡る範囲とは、遮蔽部材の長手方向中央部を含んで両端側に延びる幅を有する範囲とする。
【００１０】
本発明において、前記収容部は、前記回動部位に支持され、前記回動部位が前記第一状態にある場合において、第一広幅面を前記第一の方向に向けるカバー部材を備え、前記遮蔽部材は、前記支持構造体に支持され、前記回動部位が前記第一状態にある場合において、第二広幅面を前記第一の方向に向けるとともに、前記第二広幅面の少なくとも一部を前記カバー部材の前記第一広幅面に重ねるように配置する、前記変形許容部としての弾性板部材を備えている構成でもよい。
この場合、回動部位が前記第一状態にある場合において、遮蔽部材の弾性板部材が、収容部のカバー部材における回動部位の表面と略平行な第一広幅面に沿うように配置されるので、嵩張らずコンパクトに遮蔽部材を収容部に収容し、かつ挿脱させることができる。また、弾性板部材は、収容部に収容される側の先端部が外部に露呈しにくく、この端部への外乱の引っ掛かりにより弾性板部材が収容部から取り外されてしまうことを抑止することができる。
【００１１】
本発明において、前記カバー部材は、前記弾性板部材における前記収容部に収容される側の先端部に対向する奥壁を備え、前記弾性板部材は、前記回動部位が前記第一状態にある場合において、前記収容部への挿入長さが最大となり、かつ前記奥壁に前記先端部を突き当てて弾性変形する構成でもよい。
この場合、弾性板部材の収容部への挿入長さが最大となるとき、弾性板部材の先端部がカバー部材の奥壁に突き当たって弾性変形するので、弾性板部材が長尺に設けられても収容部の奥行方向の大型化を回避し、弾性板部材の弾接によって弾性板部材を収容部内に収容可能となる。このため、弾性板部材の長さを十分に確保して開口を確実に遮蔽可能としながら、遮蔽部材の破損を抑え、かつ遮蔽部材および収容部のデザイン自由度を高めることができる。
【００１２】
本発明において、前記遮蔽部材を前記長手方向と交差する幅方向から遮蔽する遮蔽壁を備えている構成でもよい。
この場合、遮蔽部材を側方から遮蔽する遮蔽壁を備えるので、遮蔽部材の幅方向の端部が露呈しにくく、この端部への外乱の引っ掛かりにより遮蔽部材が収容部から取り外されてしまうことを抑止することができる。
【発明の効果】
【００１３】
本発明によれば、支持構造体に回動部位を支持した回動部位付き什器において、回動機構の開口を遮蔽する遮蔽部材のスムーズな作動を確保し、遮蔽部材の破損を抑えるとともに遮蔽の確実性を高め、かつデザイン自由度を高めることができる。
【図面の簡単な説明】
【００１４】
【図１】本実施形態に係る回動部位付き什器としてのテーブルの天板使用状態を斜め上方から見た斜視図である。
【図２】上記テーブルの天板使用状態を斜め下方から見た斜視図である。
【図３】上記テーブルの天板格納状態を斜め上方から見た斜視図である。
【図４】上記テーブルの天板使用状態の天板支持ブラケットおよび回動機構を斜め上方から見た斜視図である。
【図５】上記テーブルの天板使用状態の天板支持ブラケットおよび回動機構を斜め下方から見た斜視図である。
【図６】上記テーブルの天板格納状態の天板支持ブラケットおよび回動機構を斜め上方から見た斜視図である。
【図７】図４のＶＩＩ−ＶＩＩ断面図である。
【図８】図６のＶＩＩＩ−ＶＩＩＩ断面図である。
【発明を実施するための形態】
【００１５】
以下、本発明の実施形態について図面を参照して説明する。図１〜図３に示すように、本実施形態では、回動部位付き什器として、天板１１を上下回動して折り畳み可能なテーブル１を例示している。なお、図中適所には、テーブル１における水平な幅方向（什器幅方向）を示す矢印Ｘ、テーブルにおける什器幅方向と直交する水平な奥行方向（什器奥行方向）を示す矢印Ｙ、テーブルにおける垂直な上下方向を示す矢印Ｚ、天板１１の起立時における天面に沿う奥行方向（天板奥行方向）を示す矢印ＹＢが示されている。
【００１６】
＜テーブル１全体＞
図１〜図３に示すように、テーブル１は、広幅の表面（上面、天面）１１ａを形成する天板１１を有する天板構造体１０と、床面Ｆ上の規定位置に設置され、天板構造体１０を水平に配置された枢軸２回りに回動可能に支持する支持構造体２０と、を備えている。天板１１は、例えば平面視で角部が丸面取りされた正方形状をなしている。枢軸２は、天板１１の裏面１１ｂ（下面）側で表裏面１１ａ，１１ｂと平行をなして水平方向（什器幅方向）に延びている。枢軸２は、天板１１の平面視の中央部の裏面側に配置されている。
【００１７】
天板構造体１０は、表面１１ａが水平をなして上方を向いた（法線方向を上方に向けた）第一状態Ａと、第一状態Ａに対して枢軸２回りに回動し、表面１１ａが略垂直に起立して什器奥行方向を向いた（法線方向を什器奥行方向に向けた）第二状態Ｂと、の間で回動可能である。第一状態Ａは天板構造体１０の使用状態（天板使用状態）に相当し、第二状態Ｂは天板構造体１０の格納状態（天板格納状態）に相当する。
【００１８】
以下、什器奥行方向において、天板構造体１０が第一状態Ａから第二状態Ｂに回動する際に上方に移動する側を手前側、天板構造体１０が第一状態Ａから第二状態Ｂに回動する際に下方に移動する側を奥側、と称する。また、天板構造体１０の第二状態Ｂにおいて、表面１１ａに平行で什器幅方向に直交する方向（本実施形態では上下方向）を天板奥行方向と称する。以下の説明では、特に記載がなければ、天板構造体１０が第一状態Ａにあるときの構成を説明する。
【００１９】
＜天板構造体１０＞
図３〜図６に示すように、天板構造体１０は、天板１１を裏面１１ｂ側から支持する天板支持ブラケット１２を備えている。天板支持ブラケット１２は、天板１１の外周縁から離間した内周側の範囲の裏面１１ｂ側に配置されている。天板支持ブラケット１２は、天板１１の平面視で十字状をなし、天板１１の裏面１１ｂに下方から螺着した複数の固定ボルトＢ１によって締結固定されている。
【００２０】
天板支持ブラケット１２は、什器奥行方向に長手方向を向けて延びる第一金具１３と、什器幅方向に長手方向を向けて延びる第二金具１４と、を備えている。第二金具１４は、第一金具１３の什器幅方向の両側に分割して設けられている。第一金具１３および第二金具１４は、それぞれ下方に開放するコ字状の断面形状を有して長手方向に延びている。第一金具１３および第二金具１４は、それぞれ板金の屈曲加工により形成されている。図中符号１３ａは第一金具１３の上壁、符号１３ｂは第一金具１３の一対の側壁、符号１４ａは第二金具１４の上壁、符号１４ｂは第二金具１４の一対の側壁を示している。図６では第一金具１３の図示を省略している。
【００２１】
第一金具１３の一対の側壁１３ｂは、什器奥行方向と平行に設けられている。一対の側壁１３ｂは、後述する支柱２２を挟んで互いに平行をなして什器幅方向で対向し、かつ互いに同一形状に設けられている。一対の側壁１３ｂは、天板１１の裏面１１ｂ側から支柱２２の上端部近傍を頂部として突出する側面視山形をなしている。一対の側壁１３ｂは、側面視で什器奥行方向手前側の傾斜部１３ｄを凹状に形成している。一対の側壁１３ｂは、側面視形状における頂部の什器奥行方向奥側に、後述する固定金具２３と側面視で重なってこれを隠す張り出し部１３ｅを形成している。第一金具１３は、天板構造体１０の被支持部を構成している。
【００２２】
＜支持構造体２０＞
図１〜図３に示すように、支持構造体２０は、平面視で放射状に配置された複数（四本）の脚杆２１ａを有する脚体２１を備えている。各脚杆２１ａの先端部には、それぞれ床面Ｆに接地するキャスタ２１ｂが設けられている。脚体２１の平面視の中央部の上方には、単一の円筒状の支柱２２が立設されている。支柱２２の上端部には、天板構造体１０の平面視の中央部が支持されている。
【００２３】
図４〜図６に示すように、支持構造体２０は、天板構造体１０の天板支持ブラケット１２に連結される固定金具２３を備えている。固定金具２３は、支柱２２の上端部に溶接等により固定されている。固定金具２３は、下方に開放するコ字状をなし、例えば板金の屈曲加工により形成されている。固定金具２３は、支柱２２の上端面に沿って水平に配置される平面視矩形状の上壁２３ａと、上壁２３ａの什器幅方向両側から下方に屈曲して延びる一対の側壁２３ｂと、を備えている。一対の側壁２３ｂは、それぞれ什器奥行方向と平行に設けられている。一対の側壁２３ｂは、支柱２２を挟んで互いに平行をなして什器幅方向で対向し、かつ互いに同一形状に設けられている。
【００２４】
図７、図８を併せて参照し、一対の側壁２３ｂにおける支柱２２よりも什器奥行方向奥側の部位には、一対の側壁２３ｂの間に渡る枢軸２の両端部が支持されている。枢軸２の両端部は、第一金具１３の一対の側壁１３ｂをその外側まで貫通している。一対の側壁２３ｂにおける支柱２２よりも什器奥行方向手前側の部位には、後述する第一係止ピン３１を係止する第一フック２５が形成されている。一対の側壁２３ｂにおける支柱２２よりも什器奥行方向奥側で枢軸２よりも下方の部位には、後述する第二係止ピン３２を係止する第二フック２６が形成されている。
【００２５】
天板構造体１０の第一状態Ａにおいて、固定金具２３の上壁２３ａの上面には、第一金具１３の上壁１３ａの下面が当接し、天板構造体１０からの荷重が入力される。固定金具２３は、支持構造体２０の天板支持部を構成し、天板構造体１０の被支持部（第一金具１３）を枢軸２回りに回動可能に支持する。天板構造体１０と支持構造体２０との間には、固定金具２３、第一金具１３および枢軸２を含む回動機構１５が構成されている。
【００２６】
＜天板ロック機構３０＞
図６〜図８を参照し、テーブル１は、天板構造体１０の枢軸２回りの回動を第一状態Ａおよび第二状態Ｂの各々においてロックする天板ロック機構３０を備えている。
天板ロック機構３０は、固定金具２３の一対の側壁２３ｂに形成された前記第一フック２５および第二フック２６と、第一金具１３の内側で什器奥行方向に規定量だけスライド可能に支持されたスライド金具３３と、スライド金具３３における什器幅方向両側の一対の側壁３３ａに渡って什器幅方向に延びる前記第一係止ピン３１および第二係止ピン３２と、を備えている。第一係止ピン３１は、第一金具１３の一対の側壁１３ｂをその外側まで貫通している。
【００２７】
第一フック２５は、側面視で什器奥行方向手前側に開放するＵ字状をなし、上部に略水平な第一係止辺２５ａを形成している。第一係止辺２５ａには、第一係止ピン３１が下方から係止される。この係止により、第一状態Ａにある天板構造体１０の什器奥行方向手前側が上方へ移動することが規制される。すなわち、第一状態Ａにある天板構造体１０の第二状態Ｂへの回動が規制され、天板構造体１０が第一状態Ａに保持される。
【００２８】
第二フック２６は、側面視で上方に開放するＵ字状をなし、什器奥行方向奥側に略垂直な第二係止辺２６ａを形成している。第二係止辺２６ａには、天板構造体１０が第二状態Ｂにあるとき、第二係止ピン３２が什器奥行方向奥側から係止される。この係止により、第二状態Ｂにある天板構造体１０の天板奥行方向奥側（下側）が什器奥行方向奥側へ移動することが規制される。すなわち、第二状態Ｂにある天板構造体１０の第一状態Ａへの回動が規制され、天板構造体１０が第二状態Ｂに保持される。
【００２９】
スライド金具３３の一対の側壁３３ａには、側面視で枢軸２と重なる位置に、什器奥行方向に長い長孔３３ｂが形成されている。この長孔３３ｂには、枢軸２の両端部が什器奥行方向でスライド可能に挿通されている。また、第一金具１３の一対の側壁１３ｂには、側面視で第一係止ピン３１と重なる位置に、什器奥行方向に長い長孔１３ｃが形成されている。この長孔１３ｃには、第一係止ピン３１の両端部が什器奥行方向でスライド可能に挿通されている。第一係止ピン３１の両端部には、長孔１３ｃの露出を抑える大径のワッシャ１３ｃ１が装着されている。
【００３０】
スライド金具３３には、什器奥行方向手前側の端部に、第一金具１３の上壁１３ａの下面に沿って什器奥行方向手前側に延びる帯板状の操作片３４が連結されている。操作片３４の什器奥行方向手前側の端部には、下方に突出することで使用者が手先を掛けることが可能な取っ手３４ａが設けられている。
【００３１】
操作片３４は、例えば長手方向の中間部に、什器奥行方向に長い長孔３４ｂが形成されている。この長孔３４ｂには、支持ボルトＢ２の軸部が什器奥行方向でスライド可能に挿通されている。スライド金具３３は、各長孔３３ｂ，３４ｂの長さで規定されるスライド量だけ、第一金具１３に対して什器奥行方向でスライド可能に支持されている。
【００３２】
操作片３４の什器奥行方向手前側の取っ手３４ａは、第一金具１３の什器奥行方向手前側の端部と側面視で重なるように設けられている。スライド金具３３の什器奥行方向奥側の端部には、引っ張りコイルバネ３５の一端が係止されている。引っ張りコイルバネ３５の他端は、スライド金具３３よりも什器奥行方向奥側で第一金具１３の上壁１３ａから垂下した係止片３６に係止されている。図中符号３７は第一金具１３の什器奥行方向奥側に取り付けられて引っ張りコイルバネ３５および係止片３６を遮蔽する奥側カバー部材、符号Ｂ４は奥側カバー部材３７を第一金具１３の一対の側壁１３ｂに固定する締結具、を示している。
【００３３】
スライド金具３３は、引っ張りコイルバネ３５の付勢力により、前記各長孔３３ｂ，３４ｂで規定されたストローク範囲における什器奥行方向奥側のストローク端に向けて付勢されている。スライド金具３３は、引っ張りコイルバネ３５の付勢力に抗して取っ手３４ａが什器奥行方向手前側に引かれることで、前記ストローク範囲の什器奥行方向手前側のストローク端に向けてスライドする。
【００３４】
スライド金具３３が什器奥行方向手前側のストローク端まで移動すると、第一係止ピン３１が第一フック２５との係止位置から退避し、天板構造体１０の第一状態Ａでの回動ロックが解除される。これにより、天板構造体１０を第一状態Ａから第二状態Ｂへ回動させることが可能となる。
【００３５】
一方、天板構造体１０の第二状態Ｂにおいて、取っ手３４ａが天板奥行方向手前側に引かれ、スライド金具３３が天板奥行方向手前側のストローク端まで移動すると、第二係止ピン３２が第二フック２６との係止位置から退避し、天板構造体１０の第二状態Ｂでの回動ロックが解除される。これにより、天板構造体１０を第二状態Ｂから第一状態Ａへ回動させることが可能となる。
【００３６】
＜遮蔽部材４０＞
図６〜図８を参照し、固定金具２３と第一金具１３との間には、天板構造体１０の枢軸２回りの回動に伴い、固定金具２３と第一金具１３とが互いに接近離反することによって、枢軸２回りの回動方向で縮小拡大する開口Ｋ１が形成されている。開口Ｋ１は、天板構造体１０が第一状態Ａから第二状態Ｂに回動する際に拡大し、天板構造体１０が第二状態Ｂから第一状態Ａに回動する際に縮小する。テーブル１は、前記開口Ｋ１に身体や物体が入り込むことを防止するために、前記開口Ｋ１を遮蔽する遮蔽部材４０を備えている。
【００３７】
遮蔽部材４０は、固定金具２３の什器奥行方向手前側に回動可能に連結される回動金具４１と、回動金具４１に長手方向の一端部（基端部４２ａ）が結合される帯板状の弾性板部材４２と、を備えている。弾性板部材４２は、天板構造体１０の回動に伴い縮小拡大する開口Ｋ１の大きさの変化に対応する長さを有し、例えば軟質のポリプロピレン等、弾性を有する樹脂板で構成されている。弾性板部材４２は、枢軸２および第二枢軸４３の軸方向と平行な幅方向と、この幅方向と直交する長手方向と、これら幅方向および長手方向と直交する厚さ方向と、を有している。弾性板部材４２は、帯幅を一定にして長手方向に延びている。
【００３８】
弾性板部材４２は、幅方向から見た側面視において、概ね直線状（詳細には浅いＶ字状）をなして延びる初期形状を有し（図７、図８に符号４２’を付して鎖線で示す）、この初期形状から適宜弾性変形して湾曲可能である。弾性板部材４２は、天板構造体１０の回動に伴い後述する収容部５０に摺接して弾性変形することで、天板構造体１０の回動に伴い収容部５０に対して挿脱可能となる。つまり、弾性板部材４２は、天板構造体１０の回動に伴い弾性変形して収容部５０に対する挿脱を可能とする変形許容部を構成している。遮蔽部材４０は、変形許容部（弾性板部材４２）を局部的に設けるのではなく、長手方向の一端側から他端側に渡る広い範囲（長手方向の中央部を含む）に設けることで、弾性変形を容易にし、かつ弾性変形による局部的な負荷を抑えている。弾性板部材４２の長手方向の一端部（先端部４２ｂ）には、第一状態Ａにおいて下方に突出する凸部４２ｄ（図８参照）が設けられている。凸部４２ｄは、後述するガイド部材５２の第一状態Ａにおける上向き面に形成された凹部５２ｄ（図８参照）に、第二状態Ｂにおいて弾性係合する。これにより、第二状態Ｂにおいて弾性板部材４２の先端部４２ｂが収容部５０から脱落することが抑止される。
【００３９】
回動金具４１は、固定金具２３の一対の側壁２３ｂにおける支柱２２よりも什器奥行方向手前側で、かつ第一フック２５よりも下方の部位に、枢軸２と平行な第二枢軸４３を介して回動可能に連結されている。回動金具４１ひいては遮蔽部材４０は、什器奥行方向で支柱２２を挟んで枢軸２とは反対側となる位置（枢軸２から離間した位置）において、固定金具２３に連結されている。
【００４０】
回動金具４１は、上方に開放するコ字状をなし、例えば板金の屈曲加工により形成されている。回動金具４１は、第二枢軸４３と平行な平面視矩形状の遮蔽壁４１ａと、遮蔽壁４１ａの什器幅方向両側から上方に屈曲して延びる一対の側壁４１ｂと、を有している。一対の側壁４１ｂの什器奥行方向奥側の部位には、固定金具２３の一対の側壁２３ｂの間に渡る第二枢軸４３の両端部が挿通、支持されている。遮蔽壁４１ａは、什器幅方向から見た側面視で、下方に凸の浅い屈曲形状をなしている。遮蔽壁４１ａは、什器奥行方向の略中央部に形成された屈曲部よりも什器奥行方向手前側の部位を、什器奥行方向手前側ほど上方に位置するように傾斜した傾斜壁４１ａ１としている。
【００４１】
傾斜壁４１ａ１の上面には、弾性板部材４２の基端部４２ａが一対の締結具Ｂ３により固定されている。すなわち、弾性板部材４２の長手方向の一端部（基端部４２ａ）は、回動金具４１を介して固定金具２３ひいては支持構造体２０に連結されている。弾性板部材４２の長手方向の他端側（先端側）は、天板構造体１０に設けられた収容部５０に長手方向で挿脱可能に挿入、支持されている。
【００４２】
遮蔽部材４０は、支持構造体２０への連結端部４５（固定金具２３における第二枢軸４３近傍の基端部）から長手方向で反対側の端部（弾性板部材４２の先端部４２ｂ）までの長さが、前記連結端部４５から収容部５０の開口Ｋ２までの長さの最大値（第二状態Ｂでの長さ）よりも長い。このため、弾性板部材４２は、天板構造体１０が第一状態Ａと第二状態Ｂとの間で回動する間、常に収容部５０に対して挿入代を確保する。つまり、弾性板部材４２の長手方向の先端側は、常に天板構造体１０の収容部５０内に挿入、支持された状態を維持する。
【００４３】
弾性板部材４２は、収容部５０の開口Ｋ２の周縁や内壁面に摺接しながら、収容部５０に対して挿脱される。天板構造体１０が第一状態Ａから第二状態Ｂへ回動する際、遮蔽部材４０は、天板構造体１０の回動に追従するように、回動金具４１を第二枢軸４３回りに上向きに回動させる。これにより、遮蔽部材４０は、長手方向を収容部５０の奥行方向に沿わせるように指向させる。回動金具４１は、天板構造体１０が第二状態Ｂに至る前に、第一フック２５に当接して上向きの回動が規制される。その後、さらに天板構造体１０が回動すると、弾性板部材４２は、幅方向から見た側面視でＳ字状に撓むように（厚さ方向で曲がるように）弾性変形しつつ、収容部５０に対して挿脱される。
【００４４】
弾性板部材４２は、天板構造体１０の第一状態Ａにおいて収容部５０への挿入長さが最大となる。天板構造体１０の第一状態Ａにおいて、弾性板部材４２は、収容部５０の奥壁５１ｂに先端部４２ｂを突き当てることで、側面視で全体的に反るように弾性変形する。図中符号５２は収容部５０の内側に固設されて弾性板部材４２の弾性変形時の位置を規制するガイド部材、符号Ｂ５はガイド部材５２を第一金具１３の一対の側壁１３ｂに固定する締結具、を示している。ガイド部材５２は、後述するカバー部材５１を第一金具１３に固定する脚部を兼ねている。
【００４５】
＜収容部５０＞
図６〜図８を参照し、収容部５０は、第一金具１３と、第一金具１３の内側に取り付けられるカバー部材５１と、を備えている。
カバー部材５１は、第一金具１３の一対の側壁１３ｂの間に配置され、第一金具１３とともに天板１１の裏面１１ｂ側に共締め固定（締結固定）されている。カバー部材５１は、例えば板金の屈曲加工により形成されている。
【００４６】
カバー部材５１は、什器奥行方向手前側が天板１１側に位置するように傾斜して延びる帯板状のカバー壁５１ａと、カバー壁５１ａの什器奥行方向手前側の端部から上方（天板１１側）へ屈曲して起立する奥壁５１ｂと、を備えている。カバー壁５１ａは、上下方向を向く第一広幅面５１ｃを形成している。奥壁５１ｂは、収容部５０に収容された弾性板部材４２の先端部４２ｂと什器奥行方向で対向する。カバー部材５１は、下方に開放するコ字状断面の第一金具１３とともに、天板１１の裏面１１ｂに沿うように什器奥行方向に延び、かつ什器奥行方向手前側が閉塞した収容部５０を形成している。収容部５０の長手方向（奥行方向）は、什器奥行方向を向いている。第一金具１３の一対の側壁１３ｂは、遮蔽部材４０を什器幅方向から遮蔽するように天板１１の裏面１１ｂ側から下方へ起立する遮蔽壁１３ｂ１を構成している。
【００４７】
弾性板部材４２は、上下方向を向く第二広幅面４２ｃを形成している。弾性板部材４２は、収容部５０に収容された状態において、第二広幅面４２ｃの少なくとも一部（長手方向の他端側）を、カバー部材５１の第一広幅面５１ｃに重ねている。遮蔽部材４０の長手方向における両広幅面４２ｃ，５１ｃの重なり代は、遮蔽部材４０の収容部５０への挿入代に相当する。
【００４８】
収容部５０は、枢軸２と上下方向でラップする高さにある。収容部５０は、天板構造体１０における枢軸２よりも什器奥行方向手前側に配置されている。収容部５０は、天板構造体１０の回動時、回動中心である枢軸２とは接近離反しないが、枢軸２と離間した部位に対しては接近離反する。遮蔽部材４０の支持構造体２０への連結端部４５は枢軸２から離間しているので、収容部５０は、天板構造体１０の回動時、前記連結端部４５に対しては接近離反する。
【００４９】
収容部５０の開口Ｋ２は、回動機構１５の開口Ｋ１に臨み、この開口Ｋ２から遮蔽部材４０（弾性板部材４２）が収容部５０内に挿脱される。このとき、弾性板部材４２は、収容部５０の開口Ｋ２の周縁や内壁面に摺接することで、幅方向から見て弾性変形しながら収容部５０に挿脱される。遮蔽部材４０は、収容部５０に対して挿脱されることで、天板構造体１０の回動時における前記連結端部４５と収容部５０との間の距離の変化を吸収しつつ、前記開口Ｋ１を遮蔽した状態を保つ。
【００５０】
収容部５０は、奥行方向を遮蔽部材４０の長手方向に沿うように配置したり開口Ｋ２側を広げたりすれば、遮蔽部材４０を弾性変形させずに挿脱させる可能性があるが、この場合、収容部５０の向きや大きさが制限されてしまう。
【００５１】
本実施形態の収容部５０は、上下方向（天板１１の厚さ方向）の寸法を、什器奥行方向および什器幅方向の各寸法よりも小さくし、全体的に上下方向の寸法を抑えた偏平状をなしている。このような偏平状の収容部５０とすることで、天板１１の裏面１１ｂ側への収容部５０の突出を抑え、天板１１の裏面１１ｂ側のコンパクト化（特に天板構造体１０が第二状態Ｂとなったときのコンパクト化）に寄与している。
【００５２】
遮蔽部材４０は、天板構造体１０の回動に追従するように第二枢軸４３回りに回動する。遮蔽部材４０は、天板構造体１０が第一状態Ａから第二状態Ｂに向けて回動する際、回動金具４１の回動が固定金具２３への当接により規制されるまでの間は、長手方向を収容部５０の奥行方向に沿わせるように配置される。このため、弾性板部材４２は、弾性変形することなく収容部５０に挿脱される。
【００５３】
回動金具４１の回動が規制された後、さらに天板構造体１０が第二状態Ｂに向けて回動すると、遮蔽部材４０の長手方向と収容部５０の奥行方向とがずれはじめる。このため、弾性板部材４２が厚さ方向でカバー部材５１に押されて側面視Ｓ字状に弾性変形しつつ、収容部５０に挿脱される。このように、弾性板部材４２が適宜撓んで収容部５０に挿脱されることで、遮蔽部材４０の破損や作動不良が抑えられる。
【００５４】
＜作用＞
次に、作用について説明する。
まず、天板構造体１０が第一状態Ａにあるとき、遮蔽部材４０の弾性板部材４２は、収容部５０の奥壁５１ｂに先端部４２ｂを突き当てることで、全体が側面視で反り返るように弾性変形する。これにより、弾性板部材４２の長さを確保した上で、収容部５０の奥行方向の寸法を抑えることが可能となる。また、弾性板部材４２の収容部５０への挿脱ストロークが増えても、弾性板部材４２と収容部５０とのラップ代が確保されるので、遮蔽部材４０の収容部５０からの脱落が防止される。また、弾性板部材４２の長さの確保により、弾性板部材４２の弾性変形が容易になるので、天板構造体１０を第一状態Ａに向けて回動させる際、天板１１の操作がラフになったり天板構造体１０および支持構造体２０の間に寸法誤差が生じたりしても、遮蔽部材４０および収容部５０の局所的な負荷が抑えられる。このため、遮蔽部材４０および収容部５０の破損が抑止されるとともに、天板構造体１０が第一状態Ａに至る直前の回動がスムーズになる。
【００５５】
天板構造体１０が第一状態Ａにあるとき、遮蔽部材４０は、回動金具４１が略水平となるように回動し、長手方向を収容部５０の奥行方向（第一状態Ａの什器奥行方向でもある）に向けるように配置される。このとき、回動金具４１の什器奥行方向手前側の回動端部は、カバー部材５１の什器幅方向奥側の開口端部に近接している。このカバー部材５１の什器幅方向奥側の開口端部に弾性板部材４２が上方から当接することで、回動金具４１の下向きの回動が規制される。天板構造体１０が第一状態Ａにあるとき、固定金具２３の上壁２３ａの上面と第一金具１３の上壁１３ａの下面とが互いに当接し、もって回動機構１５の開口Ｋ１が閉塞する。
【００５６】
天板構造体１０が第一状態Ａにあるとき、天板構造体１０の回動は天板ロック機構３０によりロックされている。この状態から、スライド金具３３が什器奥行方向手前側に引かれると、第一係止ピン３１が第一フック２５との係止位置から退避し、天板構造体１０の第一状態Ａでの回動ロックが解除される。これにより、天板構造体１０を第一状態Ａから第二状態Ｂへ回動させることが可能となる。
【００５７】
天板構造体１０を第一状態Ａから第二状態Ｂへ回動させると、遮蔽部材４０は、弾性板部材４２がカバー部材５１に持ち上げられることで、第二枢軸４３回りに上向きに回動し、長手方向を上向きに変化させる。天板構造体１０を第一状態Ａから第二状態Ｂへ回動させると、回動機構１５の開口Ｋ１が開いて拡大するが、この開口Ｋ１は、下方および什器奥行方向手前側から遮蔽部材４０により遮蔽され、かつ什器幅方向両側からは第一金具１３の一対の側壁１３ｂ（遮蔽壁１３ｂ１）により遮蔽される。このため、前記開口Ｋ１が外部に露出せず、開口Ｋ１への物品や身体の進入が防止される。
【００５８】
天板構造体１０の起立角度が大きくなるに従い、収容部５０は遮蔽部材４０の連結端部４５から漸次離間する。収容部５０が遮蔽部材４０の連結端部４５から離間しても、弾性板部材４２が収容部５０から引き出されることで、遮蔽部材４０により前記開口Ｋ１を遮蔽した状態が維持される。
【００５９】
天板構造体１０は、回動金具４１が固定金具２３に当接して回動を規制された後もさらに回動する。このとき、弾性板部材４２の長手方向の先端側は、カバー部材５１により什器奥行方向奥側に押されるので、弾性板部材４２の長手方向の先端側が基端側に対して什器奥行方向奥側に変位するように弾性変形する。弾性板部材４２は、長さが確保されていることから弾性変形が容易であり、天板構造体１０が第二状態Ｂに至る直前の回動がスムーズである。また、弾性板部材４２を長尺に設けることで、遮蔽部材４０および収容部５０の局所的な負荷が抑えられ、これらの破損も抑止される。
【００６０】
以上説明したように、本実施形態の回動部位付き什器は、広幅の表面１１ａを形成する天板１１を有する天板構造体１０と、前記天板構造体１０を支持する支持構造体２０と、を備え、前記支持構造体２０と前記天板構造体１０との間には、前記天板構造体１０を、前記表面１１ａに沿う方向を向く枢軸２回りに回動可能とする回動機構１５が構成され、前記回動機構１５には、前記天板構造体１０の前記枢軸２回りの回動に伴い縮小拡大する開口Ｋ１が形成されるとともに、前記開口Ｋ１を遮蔽する遮蔽部材４０を備え、前記遮蔽部材４０は、前記枢軸２の軸方向と交差する長手方向に延び、前記遮蔽部材４０の長手方向の一端側（基端側）は、前記支持構造体２０に連結され、前記天板構造体１０には、前記遮蔽部材４０の長手方向の他端側（先端側）を挿脱可能に支持する収容部５０が設けられ、前記天板構造体１０は、前記表面１１ａが第一の方向（上方）を向く第一状態Ａと、前記表面１１ａが前記第一の方向と交差する第二の方向（什器奥行方向奥側）を向いて起立する第二状態Ｂと、の間で回動可能とされ、前記遮蔽部材４０は、前記天板構造体１０が前記第一状態Ａと前記第二状態Ｂとの間で回動する間、前記収容部５０に対する挿入代を確保し、前記遮蔽部材４０は、前記天板構造体１０の回動に伴い弾性変形し、前記収容部５０に対する前記遮蔽部材４０の挿脱を可能とする変形許容部（弾性板部材４２）を備えている。
【００６１】
この構成によれば、天板構造体１０の枢軸２回りの回動に伴い回動機構１５の開口Ｋ１が縮小拡大しても、この開口Ｋ１が遮蔽部材４０で遮蔽されるので、開口Ｋ１に物品や身体を挟み込むことが防止される。遮蔽部材４０は、天板構造体１０が第一状態Ａと第二状態Ｂとの間で回動する間、常に収容部５０に対する挿入代（オーバーラップ代）を確保するので、回動機構１５の開口Ｋ１が常に遮蔽部材４０で遮蔽されるとともに、遮蔽部材４０が収容部５０から脱落したり収容部５０から露出した端部から取り外されたりすることが防止される。
そして、遮蔽部材４０は、天板構造体１０の回動に伴い弾性変形し、収容部５０に対する遮蔽部材４０の挿脱を可能とするので、天板構造体１０の操作が乱雑になったり、部材間の寸法精度に誤差が生じている場合にも、遮蔽部材４０のスムーズな作動が阻害され難い。また、収容部５０および遮蔽部材４０部材がいずれも硬質な場合に比べて、遮蔽部材４０の破損が抑えられる。また、収納部の向きや大きさによっては遮蔽部材４０の弾性変形が不要になるが、遮蔽部材４０および収容部５０の形状や大きさといったデザインが制限されやすい。一方、遮蔽部材４０が弾性変形して遮蔽部材４０の挿脱を可能とすることで、遮蔽部材４０および収容部５０のデザインが制限され難くなる。
このように、本実施形態によれば、支持構造体２０および天板構造体１０の間の開口Ｋ１を遮蔽する遮蔽部材４０のスムーズな作動を確保し、遮蔽部材４０の破損を抑えるとともに遮蔽の確実性を高め、かつデザイン自由度の高い回動部位付き什器（天板付什器）を提供することができる。
【００６２】
また、本実施形態の回動部位付き什器において、前記変形許容部は、前記遮蔽部材４０における長手方向の一端側から他端側に渡る範囲に設けられている。
この構成によれば、遮蔽部材４０が一端側から他端側に渡る広範囲で弾性変形するので、遮蔽部材４０が局部的に弾性変形する構成に比べて、遮蔽部材４０の全体的な弾性変形によって、遮蔽部材４０のよりスムーズな作動が確保されるとともに、遮蔽部材４０の局所的な負荷を抑えて耐久性を向上させることができる。
【００６３】
また、本実施形態の回動部位付き什器において、前記収容部５０は、前記天板構造体１０に支持され、前記天板構造体１０が前記第一状態Ａにある場合において、第一広幅面５１ｃを前記第一の方向に向けるカバー部材５１を備え、前記遮蔽部材４０は、前記支持構造体２０に支持され、前記天板構造体１０が前記第一状態Ａにある場合において、第二広幅面４２ｃを前記第一の方向に向けるとともに、前記第二広幅面４２ｃの少なくとも一部を前記カバー部材５１の前記第一広幅面５１ｃに重ねるように配置する、前記変形許容部としての弾性板部材４２を備えている。
この構成によれば、天板構造体１０が前記第一状態Ａにある場合において、遮蔽部材４０の弾性板部材４２が、収容部５０のカバー部材５１における天板構造体１０の表面１１ａと略平行な第一広幅面５１ｃに沿うように配置されるので、嵩張らずコンパクトに遮蔽部材４０を収容部５０に収容し、かつ挿脱させることができる。また、弾性板部材４２は、収容部５０に収容される側の先端部４２ｂが外部に露呈しにくく、この端部への外乱の引っ掛かりにより弾性板部材４２が収容部５０から取り外されてしまうことを抑止することができる。
【００６４】
また、本実施形態の回動部位付き什器において、前記カバー部材５１は、前記弾性板部材４２における前記収容部５０に収容される側の先端部４２ｂに対向する奥壁５１ｂを備え、前記弾性板部材４２は、前記天板構造体１０が前記第一状態Ａにある場合において、前記収容部５０への挿入長さが最大となり、かつ前記奥壁５１ｂに前記先端部４２ｂを突き当てて弾性変形する。
この構成によれば、弾性板部材４２の収容部５０への挿入長さが最大となるとき、弾性板部材４２の先端部４２ｂがカバー部材５１の奥壁５１ｂに突き当たって弾性変形するので、弾性板部材４２が長尺に設けられても収容部５０の奥行方向の大型化を回避し、弾性板部材４２の弾接によって弾性板部材４２を収容部５０内に収容可能となる。このため、弾性板部材４２の長さを十分に確保して開口Ｋ１を確実に遮蔽可能としながら、遮蔽部材４０の破損を抑え、かつ遮蔽部材４０および収容部５０のデザイン自由度を高めることができる。
【００６５】
また、本実施形態の回動部位付き什器において、前記遮蔽部材４０を前記長手方向と交差する幅方向から遮蔽する遮蔽壁１３ｂ１を備えている。
この構成によれば、遮蔽部材４０を側方から遮蔽する遮蔽壁１３ｂ１を備えるので、遮蔽部材４０の幅方向の端部が露呈しにくく、この端部への外乱の引っ掛かりにより遮蔽部材４０が収容部５０から取り外されてしまうことを抑止することができる。
【００６６】
なお、本発明は上記実施形態に限られるものではなく、例えば、天板１１の平面視形状は正方形に限らず、長方形や円形（楕円含む）等であってもよい。天板１１（天板構造体１０）は、平面視の中央部を支持構造体２０に支持される構成に限らず、奥行方向および左右方向で偏った部位を支持される構成でもよく、かつ複数個所を支持される構成でもよい。支持構造体２０は、天板構造体１０の高さを調節可能な構成でもよい。天板構造体１０は、第二状態Ｂで天板１１を垂直方向に対して傾斜させる構成でもよい。
【００６７】
遮蔽部材４０の長手方向の一端側が、支持構造体２０ではなく天板構造体１０に連結され、天板構造体１０ではなく支持構造体２０に、遮蔽部材４０の長手方向の他端側を挿脱可能に支持する収容部５０が設けられる構成でもよい。
収容部５０は、什器本体（天板構造体１０または支持構造体２０）に別体のカバー部材５１を取り付けて構成しているが、例えば什器本体の内側に形成された空洞部分を利用する等により、什器本体に一体に設けた構成であってもよい。
【００６８】
遮蔽部材４０ではなく収容部５０の少なくとも一部が、天板構造体１０の回動に伴い弾性変形し、収容部５０に対する遮蔽部材４０の挿脱を可能とする構成であってもよい。また、遮蔽部材４０および収容部５０の両方が、天板構造体１０の回動に伴い弾性変形し、収容部５０に対する遮蔽部材４０の挿脱を可能とする構成であってもよい。
本実施形態で「金具」と称する部材は、特別な弾性変形を求めない部材の意であり、板金性に限らず、かつ金属製に限るものでもない。また、弾性板部材４２は、天板構造体１０の回動に伴い弾性変形して収容部５０に対する挿脱を可能とする部材であれば、ポリプロピレン以外の樹脂板でもよく、かつ樹脂製に限るものでもない。
【００６９】
上記実施形態では、回動部位付き什器として、天板付什器であるテーブルを例示したが、例えばデスク、作業台およびカウンター等であってもよい。また、天板付什器に限らず、座が上下回動可能な椅子等、回動部位付き什器の全般に適用してもよい。
そして、上記実施形態における構成は本発明の一例であり、当該発明の要旨を逸脱しない範囲で種々の変更が可能である。
【符号の説明】
【００７０】
１  テーブル（回動部位付き什器、天板付什器）
２  枢軸
１０  天板構造体
１１  天板
１１ａ  表面
１１ｂ  裏面
１３ｂ１  遮蔽壁
１５  回動機構
Ｋ１  開口
２０  支持構造体
４０  遮蔽部材
４２  弾性板部材（変形許容部）
４２ｂ  先端部
４２ｃ  第二広幅面
５０  収容部
５１  カバー部材
５１ｂ  奥壁
５１ｃ  第一広幅面
Ａ  第一状態
Ｂ  第二状態
【図１】
2019154569.tif 000003
【図２】
2019154569.tif 000004
【図３】
2019154569.tif 000005
【図４】
2019154569.tif 000006
【図５】
2019154569.tif 000007
【図６】
2019154569.tif 000008
【図７】
2019154569.tif 000009
【図８】
2019154569.tif 000010